(57)【要約】【課題】植物苗に光を照射してその貯蔵を行なう植物苗貯蔵システムにおいて、植物苗の維持期間をさらに長くできる植物苗貯蔵システムを提供することにある。【解決手段】植物苗１０を貯蔵する貯蔵庫１と、この貯蔵庫１内に収納された植物苗配列棚２と、植物苗配列棚２に設けられ植物苗１０に光を照射する照射部３と、を備えた植物苗貯蔵システムにおいて、植物苗１０にマイナスイオンを放出する放出口５ａを有したマイナスイオン放出部５を貯蔵庫１内に設けたことを特徴とする。【選択図】        図１
2004254569.tif 000002
【特許請求の範囲】
【請求項１】
植物苗を貯蔵する貯蔵庫と、この貯蔵庫内に収納された植物苗配列棚と、前記植物苗配列棚に設けられ前記植物苗に光を照射する照射部と、を備えた植物苗貯蔵システムにおいて、前記植物苗にマイナスイオンを放出する放出口を有したマイナスイオン放出部を前記貯蔵庫内に設けたことを特徴とする植物苗貯蔵システム。
【請求項２】
前記マイナスイオン放出部は、前記照射部が光を放っているときにマイナスイオンが放出されるものであることを特徴とする請求項１記載の植物苗貯蔵システム。
【請求項３】
前記照射部は植物苗に照射する光の量を可変できるものであり、前記マイナスイオン放出部は、前記照射部より放出する光の量と連動してマイナスイオンの放射量が変わるものであることを特徴とする請求項２記載の植物苗貯蔵システム。
【請求項４】
前記マイナスイオン放出部は、前記照射部より放出する光の量が少ないときよりも多いときの方が、放出されるマイナスイオンの量が多いものであることを特徴とする請求項３記載の植物苗貯蔵システム。
【請求項５】
前記マイナスイオン放出部は、前記植物苗近傍におけるマイナスイオンの雰囲気濃度が１０００個〜１００万個／ｃｃの範囲内に収まるように調整できるものであることを特徴とする請求項１記載の植物苗貯蔵システム。
【請求項６】
前記植物苗配列棚は植物苗が載せられる棚を上下に複数配設したものであり、前記マイナスイオン放出部のマイナスイオンの放出口を前記棚の上であって棚に載せられた植物苗の背丈よりも低い位置に設けたことを特徴とする請求項１乃至５記載の植物苗貯蔵システム。
【請求項７】
前記マイナスイオン放出部を棒状の形状とし、この棒状のマイナスイオン放出部を前記棚の幅方向又は奥行き方向に略沿って配設するとともに、前記マイナスイオンの放出口を棒状のマイナスイオン放出部の長手方向に散在して複数設けたことを特徴とする請求項６記載の植物苗貯蔵システム。
【請求項８】
前記マイナスイオン放出部は、マイナスイオンと霧状の水分とを同時に放出できるものであることを特徴とする請求項６又は７記載の植物苗貯蔵システム。
【発明の詳細な説明】
【０００１】
【発明の属する技術分野】
本発明は、光環境を制御しながら植物苗を貯蔵する植物苗貯蔵システムに関する。
【０００２】
【従来の技術】
この種の植物苗貯蔵システムとしては、特開２００３−９６６１号公報に開示されたものがある。このものは、外光および外気を略遮断した低温の貯蔵庫に植物苗を配置し、貯蔵庫で植物苗を保存するため光を照射する植物苗貯蔵システムにおいて、植物苗の略光補償点以上となる高照度の光を照射する期間（明期という）と、植物苗の略光補償点以下となる低照度の光を照射する期間（暗期という）とを組み合わせて植物苗に対して光を照射するものである。ここで光補償点とは、植物の光合成によるＣＯ２の吸収と、呼吸によるＣＯ２の排出が釣り合い、見かけ上ＣＯ２濃度の増減がゼロになる光強度のことをいう。
【０００３】
このものは、上記したように光の照射の仕方を変えることにより、単に一定の光を照射する場合よりも、光合成能力が低下することなく植物苗の質を維持することができるものである。なお、ここで植物苗の質とは、植物苗の見た目を貯蔵前とできるだけ変わらない状態に保てるものほど質が良いものであり、さらに好ましくは、この植物苗を用いて畑で育てた後の収穫物が貯蔵しないですぐに畑で育てた植物苗とできるだけ変わらないレベルで保てるものが植物苗の質の良いものである。
【０００４】
次に、植物苗貯蔵システムに収納して使用する植物苗保存棚として、特願平１１−２０８５１４号公報に開示されたものを説明する。このものは、上下に設置された複数の棚板間に、その下方に配設された平坦状の苗箱へ向けて、同苗箱の全面が略同一の照度となるよう照光する面状の照光部を有する照明装置を設けたものである。
【０００５】
このものは、下方に配設される平坦状の苗箱に向けて、その上方に設置された照明装置の面状の照光部から、苗箱の全面が略同一の照度となるよう照光されるので、苗箱内のどの位置に置かれた苗であっても略同一の光が照射されるので、苗箱内の苗において、苗高さ、苗質にばらつきを生じることが少なくなり、その安定が図れるものであった。
【０００６】
【特許文献１】
特開２００３−９６６１号公報
【０００７】
【特許文献２】
特願平１１−２０８５１４号公報
【０００８】
【発明が解決しようとする課題】
ところが前記した、特開２００３−９６６１号公報に開示されたものは、植物苗に対する光の照射の仕方を変えたものであり、特願平１１−２０８５１４号公報に開示されたものは、植物苗に対する光の照射を均一にしたものであり、共に光を制御したものであった。このように光を制御して植物苗の維持を図ることは有効であるが、市場では、さらに長く植物苗が維持できる植物苗貯蔵システムが要望されている。
【０００９】
本発明は、上記事由に鑑みてなしたもので、その目的とするところは、植物苗に光を照射してその貯蔵を行なう植物苗貯蔵システムにおいて、植物苗の維持期間をさらに長くできる植物苗貯蔵システムを提供することにある。
【００１０】
【課題を解決するための手段】
請求項１に係る発明の植物苗貯蔵システムは、植物苗を貯蔵する貯蔵庫と、この貯蔵庫内に収納された植物苗配列棚と、前記植物苗配列棚に設けられ前記植物苗に光を照射する照射部と、を備えた植物苗貯蔵システムにおいて、前記植物苗にマイナスイオンを放出する放出口を有したマイナスイオン放出部を前記貯蔵庫内に設けたことを特徴とする。
【００１１】
請求項２に係る発明の植物苗貯蔵システムは、請求項１において、前記マイナスイオン放出部は、前記照射部が光を放っているときにマイナスイオンが放出されるものであることを特徴とする。
【００１２】
請求項３に係る発明の植物苗貯蔵システムは、請求項２において、前記照射部は植物苗に照射する光の量を可変できるものであり、前記マイナスイオン放出部は、前記照射部より放出する光の量と連動してマイナスイオンの放射量が変わるものであることを特徴とする。
【００１３】
請求項４に係る発明の植物苗貯蔵システムは、請求項３において、前記マイナスイオン放出部は、前記照射部より放出する光の量が少ないときよりも多いときの方が、放出されるマイナスイオンの量が多いものであることを特徴とする。
【００１４】
請求項５に係る発明の植物苗貯蔵システムは、請求項１において、前記マイナスイオン放出部は、前記植物苗近傍におけるマイナスイオンの雰囲気濃度が１０００個〜１００万個／ｃｃの範囲内に収まるように調整できるものであることを特徴とする。
【００１５】
請求項６に係る発明の植物苗貯蔵システムは、請求項１乃至５のいずれかにおいて、前記植物苗配列棚は植物苗が載せられる棚を上下に複数配設したものであり、前記マイナスイオン放出部のマイナスイオンの放出口を前記棚の上であって棚に載せられた植物苗の背丈よりも低い位置に設けたことを特徴とする。
【００１６】
請求項７に係る発明の植物苗貯蔵システムは、請求項６において、前記マイナスイオン放出部を棒状の形状とし、この棒状のマイナスイオン放出部を前記棚の幅方向又は奥行き方向に略沿って配設するとともに、前記マイナスイオンの放出口を棒状のマイナスイオン放出部の長手方向に散在して複数設けたことを特徴とする。
【００１７】
請求項８に係る発明の植物苗貯蔵システムは、請求項６又は７において、前記マイナスイオン放出部は、マイナスイオンと霧状の水分とを同時に放出できるものであることを特徴とする。
【００１８】
【発明の実施の形態】
（第１の実施の形態）
本発明の第１の実施の形態を図１、図２を用いて説明する。図１は植物苗貯蔵システムの斜視図、図２はその要部を示す断面図である。
【００１９】
この植物苗貯蔵システムは、植物苗１０を貯蔵する貯蔵庫１と、この貯蔵庫内１に収納された植物苗配列棚２と、植物苗配列棚２に設けられ植物苗１０に光を照射する照射部３と、植物苗１０にマイナスイオンを放出する放出口５ａを有したマイナスイオン放出部５と、を備えて構成されている。
【００２０】
貯蔵庫１は、人がこの中に入って植物苗配列棚２に植物苗１０を載せたり、植物苗１０を外部に運び出したりできる程度の大きさを有したものである。この貯蔵庫１の中には、植物苗配列棚２やマイナスイオン放出部５や温度／湿度制御装置の吹き出し口８０が収納されている。
【００２１】
植物苗配列棚２は、植物苗１０が載せられる棚４を上下に複数配設したものである。棚４は、その周囲が垂れ下がった逆盆状をなしており、この中に照射部３が備えられている。
【００２２】
照射部３は、棚４の下面側に設けられており、この下に置かれた植物苗１０に光を照射するものであり、植物苗１０に照射する光の量を可変できるものとなっている。
【００２３】
マイナスイオン放出部５は、マイナスイオン発生装置５０より発生したマイナスイオンを放出するものであり、その先端に放出口５ａを有している。ここでは、マイナスイオンの放出口５ａが２箇所設けられており、第１の放出口５ａは、棚４の上であって棚４に載せられた植物苗１０の背丈よりも低い位置で、その放出口５ａが植物苗１０の根元に向くように設けられている。また、第２の放出口５ａは、第１の放出口５ａと反対側であり照射部３の下面側に、その放出口５ａが下を向くように設けらている。ここでマイナスイオン放出部５は、照射部３が光を放っているときにマイナスイオンが放出されるものであり、照射部３より放出する光の量と連動してマイナスイオンの放射量が変わるようになっている。具体的には、照射部３より放出する光の量が少ないときよりも多いときの方が、放出されるマイナスイオンの量が多いものとなっている。なお、放出口５ａは、マイナスイオンを放出できる大きさのものであればよいので、例えば繊維などで形成されたもので、その放出口５ａが目視にて確認できないものであってもかまわない。
【００２４】
なお、図１において、１０ａはトレイであり、この上に植物苗１０が並べられている。トレイ１０ａは、植物苗１０をまとめて貯蔵庫１の中に収納するときや外部に運び出すときに使用されるものである。また、９０は、照射部３から放出される光の量を制御する光量制御部である。さらに、５１はマイナスイオン反射用反射板であり、前述した第２の放出口５ａより下に向かって放出されたマイナスイオンがこれに当たって、植物苗１０の方に進行するような形状を有している。
【００２５】
次に、このように形成された植物苗貯蔵システムは、その貯蔵庫１の内部の温度や湿度が所定の値に管理され、また、植物苗１０には、照射部３により光が照射され、さらにマイナスイオンの放出口５ａによりマイナスイオンが放出されるものとなる。ここでマイナスイオン放出部５は、照射部３が光を放っているときにマイナスイオンを放出するので、植物苗１０は、照射部３の光により光合成を行なうときにマイナスイオンを吸収する。さらにマイナスイオン放出部５は、照射部３より放出する光の量と連動してマイナスイオンの放射量が変わるものとなる。具体的には、照射部３より放出する光の量が少ないときよりも多いときの方が、放出されるマイナスイオンの量が多いものとなるので、照射部３からの光が強くなることにより、植物苗１０の光合成が活発になり、そのときに吸収する二酸化炭素の量が増えたときに、より多くのマイナスイオンが植物苗１０の周囲に存在するものとなる。そして植物苗１０は、二酸化炭素の吸収量が増えたときにより多くのマイナスイオンを吸収するものとなる。
【００２６】
この実施の形態によると、植物苗１０にマイナスイオンを放出する放出口５ａを有したマイナスイオン放出部５を貯蔵庫内１に設けたことにより、植物苗１０の周囲にマイナスイオンが存在することになるので、マイナスイオンの存在しないものと比較して、植物苗１０の活性度がより維持されて、植物苗１０の維持期間をさらに長くすることができるものとなる。
【００２７】
また、マイナスイオン放出部５は、照射部３が光を放っているときにマイナスイオンが放出されるものであることにより、植物苗１０は、照射部３の光により光合成を行なうときにマイナスイオンを吸収するものとなり、マイナスイオンが効率的に植物苗１０に吸収されるものとなる。
【００２８】
また、マイナスイオン放出部５は、照射部３より放出する光の量が少ないときよりも多いときの方が、放出されるマイナスイオンの量が多いものであることにより、植物苗１０の吸収量に比例したマイナスイオンが供給されるので、余分にマイナスイオンが余分に供給されることや、逆にマイナスイオンの供給が少なくなり過ぎることを軽減できるものとなる。
【００２９】
マイナスイオン放出部５のマイナスイオンの放出口５ａを棚４の上であって棚４に載せられた植物苗１０の背丈よりも低い位置に設けたことことにより、マイナスイオンを植物苗１０の存在しない所に拡散させることが少なくでき、より効率的なマイナスイオンの放出が可能となる。なお、植物苗１０は、葉の裏側にある多数の気孔からニ酸化炭素を吸収しており、ここからマイナスイオンも吸収されると考えられるのでマイナスイオンの放出口５ａを植物苗１０の背丈よりも低い位置に設け、マイナスイオンが植物苗１０の葉の裏側に集まるようにすることは有用と考えられる。
【００３０】
なお、マイナスイオン放出部５が植物苗１０近傍におけるマイナスイオンの雰囲気濃度を１０００個〜１００万個／ｃｃの範囲内に収まるように調整できるものであれば、植物苗１０に対してマイナスイオンが少なすぎて植物苗１０が活性化しなくなることや、逆にマイナスイオンの飽和点、すなわちマイナスイオンが多すぎていくらマイナスイオンを増やしても植物苗１０を貯蔵するためには有用に作用しない点を超えることもないので、より効率的なマイナスイオンの放出ができるものとなる。
【００３１】
なお、このような植物苗貯蔵システムを使用すると、植物苗の出荷の集中する時季の前に予め採取し貯蔵しておき、植物苗の出荷の集中するときに新たに採取した植物苗と一緒に出荷すれば、出荷の集中するときの雇用者数を減らすことができ、また植物苗の栽培面積も予め貯蔵しておくこてで減らすことができるものとなる。
【００３２】
次に、実施の形態の第１の応用例を説明する。図３はこの応用例を示す図で、植物苗配列棚２の棚４と棚４との間を示す、要部断面図である。この応用例は、前述したマイナスイオン放出部５の形状を変えたものである。このものはマイナスイオン放出部５を棒状の形状とし、この棒状のマイナスイオン放出部５を棚４の幅方向に略沿って配設するとともに、マイナスイオン５の放出口５ａを棒状のマイナスイオン放出部５の長手方向に散在して複数設けたものである。そして植物苗１０の土壌の上にマイナスイオン５を配置し、放出口５ａを植物苗１０の葉の裏側にマイナスイオンが当たるような向きに設けている。
【００３３】
このものは、植物苗１０が棚４の両側や中央部どこに置かれても図１を用いて説明したものよりは、植物苗１０の周囲のマイナスイオンの濃度を均一にできるので、マイナスイオンの濃度の違いにより植物苗の質にばらつきを生じることが少なくできるものとなる。
【００３４】
なお、ここでは棒状のマイナスイオン放出部５を棚４の幅方向に略沿って配設したが、棚の奥行き方向に略沿って配設しても同様に植物苗１０の周囲のマイナスイオンの濃度を均一にできるものとなる。
【００３５】
次に、実施の形態の第２の応用例を説明する。図４はこの応用例を示す図で、植物苗配列棚２の棚４と棚４との間を示す、要部断面図である。この応用例は、第１の応用例にて説明したものに、新たな機能を付加したものである。すなわちマイナスイオン放出部５をマイナスイオンと霧状の水分とを同時に放出できるものとし、イオンセンサー１３と、光量センサー１４と、を付加したものとなっている。ここでイオンセンサー１３は、植物苗１０の周囲のマイナスイオンの濃度を検出するものであり、光量センサー１４は植物苗１０の周囲の明るさを検出するものである。そして、イオンセンサー１３と、光量センサー１４と、は互いに連動しており、図１を用いて説明したもののように、照射部３より放出する光の量が少ないときよりも多いときの方が、放出されるマイナスイオンの量が多いものになるように、各センサーの検出情報を処理している。
【００３６】
このものは、実際に植物苗１０のある箇所のマイナスイオン濃度や光量を検出して制御できるものとなるので、植物苗１０をより適切な環境下にすることができるものとなる。また、マイナスイオン放出部５よりマイナスイオンと霧状の水分とを同時に放出できるので潅水のための配管が不用なものとなる。
【００３７】
なお、前述した第１、第２の応用例で示した放出口５は、マイナスイオンを放出できる大きさのものであればよいので、例えば繊維などで形成されたもので、その放出口５ａが目視にて確認できないものであってもかまわない。
【００３８】
【発明の効果】
請求項１記載の発明にあっては、植物苗を貯蔵する貯蔵庫と、この貯蔵庫内に収納された植物苗配列棚と、前記植物苗配列棚に設けられ前記植物苗に光を照射する照射部と、を備えた植物苗貯蔵システムにおいて、前記植物苗にマイナスイオンを放出する放出口を有したマイナスイオン放出部を前記貯蔵庫内に設けたことにより、マイナスイオンの存在しないものと比較して、植物苗の活性度がより維持されて、植物苗の維持期間をさらに長くすることができるものとなる。
【００３９】
請求項２記載の発明にあっては、前記マイナスイオン放出部は、前記照射部が光を放っているときにマイナスイオンが放出されるものであることにより、請求項１に記載した効果を奏するうえに、植物苗は、照射部の光により光合成を行なうときにマイナスイオンを吸収するものとなり、マイナスイオンが効率的に植物苗に吸収されるものとなる。
【００４０】
請求項３記載の発明にあっては、前記照射部は植物苗に照射する光の量を可変できるものであり、前記マイナスイオン放出部は、前記照射部より放出する光の量と連動してマイナスイオンの放射量が変わるものであることにより、請求項２に記載した効果を奏するうえに、マイナスイオンがさらに効率的に植物苗に吸収されるものとなる。
【００４１】
請求項４記載の発明にあっては、前記マイナスイオン放出部は、前記照射部より放出する光の量が少ないときよりも多いときの方が、放出されるマイナスイオンの量が多いものであることにより、請求項３に記載した効果を奏するうえに、余分にマイナスイオンが余分に供給されることや、逆にマイナスイオンの供給が少なくなり過ぎることを軽減できるものとなる。
【００４２】
請求項５記載の発明にあっては、前記マイナスイオン放出部は、前記植物苗近傍におけるマイナスイオンの雰囲気濃度が１０００個〜１００万個／ｃｃの範囲内に収まるように調整できるものであることにより、請求項１に記載した効果を奏するうえに、植物苗に対してマイナスイオンが少なすぎて植物苗が活性化しなくなることや、逆にマイナスイオンの飽和点、すなわちマイナスイオンが多すぎていくらマイナスイオンを増やしても植物苗を貯蔵するためには有用に作用しない点を超えることもないので、より効率的なマイナスイオンの放出ができるものとなる。
【００４３】
請求項６記載の発明にあっては、前記植物苗配列棚は植物苗が載せられる棚を上下に複数配設したものであり、前記マイナスイオン放出部のマイナスイオンの放出口を前記棚の上であって棚に載せられた植物苗の背丈よりも低い位置に設けたことにより、請求項１乃至５のいずれかに記載した効果を奏するうえに、マイナスイオンを植物苗の存在しない所に拡散させることが少なくでき、より効率的にマイナスイオンを放出することが可能となる。
【００４４】
請求項７記載の発明にあっては、前記マイナスイオン放出部を棒状の形状とし、この棒状のマイナスイオン放出部を前記棚の幅方向又は奥行き方向に略沿って配設するとともに、前記マイナスイオンの放出口を棒状のマイナスイオン放出部の長手方向に散在して複数設けたことにより、請求項６に記載した効果を奏するうえに、植物苗の周囲のマイナスイオンの濃度を均一にできるので、マイナスイオンの濃度の違いにより植物苗の質にばらつきを生じることが少なくできるものとなる。
【００４５】
請求項８記載の発明にあっては、前記マイナスイオン放出部は、マイナスイオンと霧状の水分とを同時に放出できるものであることにより、請求項６又は７に記載した効果を奏するうえに、潅水のための配管が不用なものとなる。
【図面の簡単な説明】
【図１】本発明の第１の実施の形態に係る植物苗貯蔵システムの斜視図である。
【図２】同上の植物苗貯蔵システムの要部を示す断面図である。
【図３】同上の植物苗貯蔵システムの第１の応用例を示す図で、植物苗配列棚の棚と棚との間を示す要部断面図である
【図４】同上の植物苗貯蔵システムの第２の応用例を示す図で、植物苗配列棚の棚と棚との間を示す要部断面図である
【符号の説明】
１      貯蔵庫
２      植物苗配列棚
３      照射部
４      棚
５      マイナスイオン放出部
５ａ    放出口
１０    植物苗
【図１】
2004254569.tif 000003
【図２】
2004254569.tif 000004
【図３】
2004254569.tif 000005
【図４】
2004254569.tif 000006